(57)【特許請求の範囲】
【請求項１】
両端に把持部を有する支持棒の一対を互いに平行に所定距離を隔てて位置せしめた状態において、それら支持棒間にシートを架設することにより、所定幅の載置部が形成されるようにした担架において、かかる一対の支持棒の各々を、炭素繊維強化樹脂からなる第一、第二及び第三の３本のパイプ部材にて構成する一方、それら３本のパイプ部材を各支持棒の長さ方向に直列させた状態下において、第一のパイプ部材同士の間及び第三のパイプ部材同士の間を、それぞれ、前記把持部配設側の端部間において接続棒にて接続し、更に第二のパイプ部材の両端部における第一及び第三のパイプ部材との連結部間を接続棒にてそれぞれ接続して、かかる一対の支持棒の間隔が一定となるように構成すると共に、各支持棒の長さ方向に隣り合うパイプ部材同士を、第二のパイプ部材の両端部には円板状の金具の２枚を互いに所定の間隙を隔てて一体的に設けてなる雌型連結金具をそれぞれ固定し、また第一及び第三のパイプ部材の該第二のパイプ部材に対応する端部には円板形態を呈する雄型連結金具を固定して、該雌型連結金具の２枚の円板状金具の間隙内に該雄型連結金具を挿入した形態において、前記載置部の幅方向に延びる回動軸回りに回動可能に連結して、それら３本のパイプ部材をそれぞれの連結部において、回動させることにより、座席形態を与える屈曲状態が実現され得るようにした座席式担架にして、
（ａ）前記一対の支持棒の一方の端部側に配された操作部材と、（ｂ）前記各支持棒の長さ方向に隣り合うパイプ部材同士を連結する連結部位となる前記第二のパイプ部材の両端部と前記第一及び第三のパイプ部材との間にそれぞれ設けられ、前記屈曲状態を実現する回動位置を含む、該パイプ部材同士の予め設定された複数の回動位置のうちの一つを選択し、該パイプ部材同士の自由な回動を阻止することにより、その選択された回動位置を固定する回動位置選択手段と、（ｃ）前記操作部材と該回動位置選択手段とを接続し、該操作部材の操作によって、該回動位置選択手段における複数の回動位置のうちの一つの選択を可能ならしめる作用部材とを有し、且つ、
前記回動位置選択手段が、前記雄型連結金具の円板形態の外周部に回動方向に間隔をおいて設けられた複数の凹陥部と、前記雌型連結金具の２枚の円板状金具の外周部に設けられた、該凹陥部に対応した一つの位置決め凹部と、該雄型連結金具と該雌型連結金具の前記回動軸回りの相対的な回動によって前記複数の凹陥部の一つと前記位置決め凹部とが一致した状態において、それら凹陥部及び位置決め凹部内に突入せしめられて、かかる雄型連結金具と雌型連結金具との相対的な回動を阻止するストッパ部材とを含んで構成され、前記パイプ部材同士の予め設定された複数の回動位置から選択される回動位置で、該ストッパ部材を前記位置決め凹部と前記複数の凹陥部のうちの何れか一つとに突入せしめることによって、該選択された回動位置が固定されるようになっていると共に、
さらに、前記作用部材が、前記操作部材と前記回動位置選択手段の前記ストッパ部材とを接続した状態下で、該操作部材の操作にて該ストッパ部材を移動せしめ、かかる操作部材の操作に伴って、該ストッパ部材を前記凹陥部及び位置決め凹部に突入させる方向とそれら凹陥部及び位置決め凹部から離脱させる方向とに移動せしめ得るように構成されて、前記回動位置選択手段により、前記パイプ部材同士の予め設定された複数の回動位置から選択される回動位置で、該操作部材の操作によって、該ストッパ部材が、該位置決め凹部と共に、該複数の凹陥部のうちの該ストッパ部材が突入せしめられるべき凹陥部に対して突入／離脱せしめられて、該パイプ部材同士の自由な回動の阻止とその解除が行なわれ得るようになっていることを特徴とする屈曲状態可変の座席式担架。
【請求項２】
前記回動位置選択手段により、前記パイプ部材同士の予め設定された複数の回動位置から選択される回動位置のそれぞれにおいて、前記複数の凹陥部のうちの前記ストッパ部材が突入せしめられるべき凹陥部内に該ストッパ部材を突入させる方向に向かって、該ストッパ部材を付勢する付勢手段が、更に設けられている請求項１に記載の屈曲状態可変の座席式担架。
【請求項３】
前記パイプ部材同士の予め設定された複数の回動位置の中に、前記一対の支持棒のそれぞれを一直線上に延びるように配置した形態を与える伸展状態を実現する回動位置が含まれている請求項１又は請求項２に記載の屈曲状態可変の座席式担架。
【請求項４】
前記パイプ部材同士の予め設定された複数の回動位置の中に、前記一対の支持棒のそれぞれを少なくとも二つに折り畳むように配置した形態を与える折畳み状態を実現する回動位置が含まれている請求項１乃至請求項３の何れかに記載の屈曲状態可変の座席式担架。
【発明の詳細な説明】
【０００１】
【技術分野】
本発明は、傷病者等を乗せて運ぶ用具である担架に係り、特に、角部のある狭い通路や階段、或いは坂道や階段等の傾斜場所において好適に使用可能な担架の構造に関するものである。
【０００２】
【背景技術】
従来から、事故現場等から歩行が困難となった傷病者等を乗せて運ぶ用具として、両端に把持部を有する一対の支持棒を互いに平行に所定距離を隔てて位置せしめた状態において、それら支持棒間にシートを架設することにより、所定幅の載置部を形成してなる構成の担架が知られている。そして、一般に、このような担架にあっては、一対の支持棒のそれぞれが、長尺で、強度の高い鉄製の直管等からなっており、それによって、傷病者等が、載置部上において寝かせられた状態で、安全に運搬され得るようになっている。
【０００３】
ところが、かくの如き構造の従来の担架においては、傷病者等が、脚を伸ばして楽に寝かせられた状態で乗せられ得るように、全長が十分に長くされているため、狭い通路や階段の角部等では、その曲がり角が曲がり切れずに、使用が不可能となる場合があったのであり、また、坂道や階段等の傾斜した場所で使用する際には、載置部上に寝かせられた傷病者等が載置部から滑り落ちたりしないように、担架の前後で、それを支持して、傷病者を搬送する搬送者（担架の取扱者）が、それぞれ、腰を曲げて担架の支持位置を低くしたり、或いは担架を差し上げて、その支持位置を高くしたりして、担架を水平に保持しなければならなかったのである。
【０００４】
そこで、本願出願人等は、特願２０００−１７５２７４号明細書において、炭素繊維強化樹脂製のパイプ部材からなる一対の支持棒における長さ方向中間部の互いに対応する二箇所において、それら一対の支持棒の平行状態を維持しつつ、同一の方向に、それら各支持棒をそれぞれ屈曲せしめて階段状と為すことにより、前記載置部の支持棒長さ方向における中間部に段差が設けられて、座席部が形成されてなる構造を備えた座席式担架を提案し、また、それと共に、各支持棒を３本のパイプ部材にて構成する一方、それら３本のパイプ部材を回動可能に連結し、該３本のパイプ部材をそれぞれの連結部において回動させることにより、各支持棒を、座席部が形成されるように屈曲せしめた状態と、二つに折り畳んだ状態とに変形させ得るようにした構造も、明らかにしたのである。
【０００５】
このような構造を有する座席式担架においては、載置部の支持棒長さ方向における中間部に設けられた座席部に、膝を曲げて腰掛けさせるようにして、傷病者等を載置部上に寝かせることが出来るため、載置部上に寝かされる傷病者等の負担を増すことなく、全体の長さを効果的に短く為すことが可能となり、また、傾斜場所等では、載置部上に寝かされる傷病者等の頭部側が上側に位置するようにして、全体を傾けるように為せば、傷病者等の載置部上からの滑落を防止することが出来るのである。従って、かかる座席式担架にあっては、狭い場所や傾斜場所でも、載置部に寝かされる傷病者等に対する負担を可及的に抑制しつつ、優れた使用性が発揮され得ることとなるのである。
【０００６】
また、各支持棒を構成する３本のパイプ部材をそれぞれの連結部において回動させることにより、各支持棒を、座席部が形成されるように屈曲せしめた状態と、二つに折り畳んだ状態とに変形させ得るようにした構造によれば、非使用下で、各支持棒を二つに折り畳むことによって、可及的に小さなスペース内に、コンパクトに収納することが可能となり、以て、取扱性が効果的に高められ得るのである。
【０００７】
ところが、このような座席式担架にあっては、座席部が形成される各支持棒の屈曲状態が不変とされているため、載置部に寝かされる傷病者等によっては、かかる一定の屈曲状態で膝や腰を曲げる姿勢に負担を感じる場合あるといった問題が内在していたのであり、また、かかる各支持棒の屈曲状態と折畳み状態とにおいて、３本のパイプ部材の回動を阻止し、或いはそれを解除するための操作機構が、それら３本のパイプ部材を連結する連結部材に設けられていたため、例えば、担架の取扱者が各パイプ部材の回動を阻止したり、或いはそれを解除したりする操作を行なう際には、一旦、把持部から手を離し、担架を地上や床上等に載置した上で、それらの操作を行なわなければならないといった煩わしさがあり、その点においても、改良の余地が存していたのである。
【０００８】
【解決課題】
ここにおいて、本発明は、上述せる如き事情を背景にして為されたものであって、その解決課題とするところは、回動可能に連結されて、各支持棒を構成する３本のパイプ部材の回動により、座席形態を与える屈曲状態が実現され得るようにした座席式担架において、かかる屈曲状態が変更可能とされて、載置部に寝かされる傷病者の負担が有利に軽減され得ると共に、該屈曲状態の変更が、容易に且つ優れた操作性をもって実施され得るようにした新規な構造を提供することにある。
【０００９】
【解決手段】
そして、本発明にあっては、かかる課題の解決のために、両端に把持部を有する支持棒の一対を互いに平行に所定距離を隔てて位置せしめた状態において、それら支持棒間にシートを架設することにより、所定幅の載置部が形成されるようにした担架において、かかる一対の支持棒の各々を、炭素繊維強化樹脂からなる第一、第二及び第三の３本のパイプ部材にて構成する一方、それら３本のパイプ部材を各支持棒の長さ方向に直列させた状態下において、第一のパイプ部材同士の間及び第三のパイプ部材同士の間を、それぞれ、前記把持部配設側の端部間において接続棒にて接続し、更に第二のパイプ部材の両端部における第一及び第三のパイプ部材との連結部間を接続棒にてそれぞれ接続して、かかる一対の支持棒の間隔が一定となるように構成すると共に、各支持棒の長さ方向に隣り合うパイプ部材同士を、第二のパイプ部材の両端部には円板状の金具の２枚を互いに所定の間隙を隔てて一体的に設けてなる雌型連結金具をそれぞれ固定し、また第一及び第三のパイプ部材の該第二のパイプ部材に対応する端部には円板形態を呈する雄型連結金具を固定して、該雌型連結金具の２枚の円板状金具の間隙内に該雄型連結金具を挿入した形態において、前記載置部の幅方向に延びる回動軸回りに回動可能に連結して、それら３本のパイプ部材をそれぞれの連結部において、回動させることにより、座席形態を与える屈曲状態が実現され得るようにした座席式担架において、（ａ）前記一対の支持棒の一方の端部側に配された操作部材と、（ｂ）前記各支持棒の長さ方向に隣り合うパイプ部材同士を連結する連結部位となる前記第二のパイプ部材の両端部と前記第一及び第三のパイプ部材との間にそれぞれ設けられ、前記屈曲状態を実現する回動位置を含む、該パイプ部材同士の予め設定された複数の回動位置のうちの一つを選択し、該パイプ部材同士の自由な回動を阻止することにより、その選択された回動位置を固定する回動位置選択手段と、（ｃ）前記操作部材と該回動位置選択手段とを接続し、該操作部材の操作によって、該回動位置選択手段における複数の回動位置のうちの一つの選択を可能ならしめる作用部材とを有し、且つ、前記回動位置選択手段が、前記雄型連結金具の円板形態の外周部に回動方向に間隔をおいて設けられた複数の凹陥部と、前記雌型連結金具の２枚の円板状金具の外周部に設けられた、該凹陥部に対応した一つの位置決め凹部と、該雄型連結金具と該雌型連結金具の前記回動軸回りの相対的な回動によって前記複数の凹陥部の一つと前記位置決め凹部とが一致した状態において、それら凹陥部及び位置決め凹部内に突入せしめられて、かかる雄型連結金具と雌型連結金具との相対的な回動を阻止するストッパ部材とを含んで構成され、前記パイプ部材同士の予め設定された複数の回動位置から選択される回動位置で、該ストッパ部材を前記位置決め凹部と前記複数の凹陥部のうちの何れか一つとに突入せしめることによって、該選択された回動位置が固定されるようになっていると共に、さらに、前記作用部材が、前記操作部材と前記回動位置選択手段の前記ストッパ部材とを接続した状態下で、該操作部材の操作にて該ストッパ部材を移動せしめ、かかる操作部材の操作に伴って、該ストッパ部材を前記凹陥部及び位置決め凹部に突入させる方向とそれら凹陥部及び位置決め凹部から離脱させる方向とに移動せしめ得るように構成されて、前記回動位置選択手段により、前記パイプ部材同士の予め設定された複数の回動位置から選択される回動位置で、該操作部材の操作によって、該ストッパ部材が、該位置決め凹部と共に、該複数の凹陥部のうちの該ストッパ部材が突入せしめられるべき凹陥部に対して突入／離脱せしめられて、該パイプ部材同士の自由な回動の阻止とその解除が行なわれ得るようになっていることを特徴とする屈曲状態可変の座席式担架を、その要旨とするものである。
【００１０】
この本発明に従う屈曲状態可変の座席式担架にあっては、操作部材の操作によって、座席形態を与える屈曲状態を実現する回動位置で、パイプ部材同士の自由な回動が阻止されて、かかる回動位置が固定されるようになっているところから、傷病者等を、載置部上に、膝を曲げて腰掛けさせるようにして寝かせた状態で使用することが出来、それによって、狭い場所や傾斜場所等でも、載置部に寝かされる傷病者等の負担を可及的に抑制しつつ、容易に使用が可能となっているのである。
【００１１】
そして、本発明に係る屈曲状態可変の座席式担架においては、特に、回動位置選択手段によって、支持棒の長さ方向に隣り合うパイプ部材同士の回動位置が、予め設定された複数の回動位置から選択され、それらパイプ部材同士の自由な回動が阻止されて、その選択された回動位置が固定されるようになっているところから、かかる選択手段にて選択される回動位置を、単に、対応する連結部位におけるパイプ部材同士の間の回動角度が互いに異なる様々な屈曲状態を実現する複数の回動位置を含むように、予め設定するだけで、座席形態を与える屈曲状態を容易に変化させることが可能となるのである。
【００１２】
また、かかる本発明に従う屈曲状態可変の座席式担架にあっては、作用部材を介して回動位置選択手段に接続された操作部材の操作によって、複数の回動位置のうちの一つが回動位置選択手段にて選択され、そしてその選択された回動位置で、パイプ部材同士の自由な回動が阻止されて、該回動位置が固定されるようになっており、しかも、そのような操作部材が、支持棒の一方の端部側に配置されているところから、担架を地上等に一々載置することなく、担架の取扱者が、把持部を把持したままで、該把持部の手元で操作部材を操作することにより、各パイプ部材の回動位置を固定したり、或いはそれを解除したりすることが出来るのである。
【００１３】
従って、かくの如き本発明に従う屈曲状態可変の座席式担架にあっては、座席形態を与える屈曲状態を種々変更することによって、膝や腰を曲げた状態で載置部に寝かされる傷病者等の姿勢を容易に且つ出来るだけ適切に変えることが出来、以て、かかる傷病者等の負担が、より一層効果的に軽減され得るのである。しかも、そのような座席形態を与える屈曲状態が、優れた操作性をもって、容易に変更され得るのであり、それによって、取扱性の向上が、更に有利に図られ得ることとなるのである。
【００１５】
なお、このような本発明に従う屈曲状態可変の座席式担架にあっては、回動位置選択手段にて選択された回動位置での各パイプ部材の回動が、回動体の各凹陥部に対するストッパ部材の係合にて、より確実に阻止され得、それによって、様々な座席形態を与える複数の屈曲状態が確実に維持され得るのであり、その結果として、各種の屈曲状態で、より安定的に使用され得ることとなるのである。
【００１７】
また、本発明に従う屈曲状態可変の座席式担架にあっては、操作部材の操作によって、回動位置選択手段にて選択された回動位置が、より確実に固定され得るのであり、以て、上述せる如き優れた使用状態が、より効果的に確保され得ることとなるのである。
【００１８】
さらに、本発明に従う屈曲状態可変の座席式担架の望ましい他の態様の一つによれば、前記回動位置選択手段により、前記パイプ部材同士の予め設定された複数の回動位置から選択される回動位置のそれぞれにおいて、前記回動体の複数の凹陥部のうちの前記ストッパが突入せしめられるべき凹陥部内に該ストッパを突入させる方向に向かって、該ストッパを付勢する付勢手段が、更に設けられることとなる。これによって、回動位置選択手段にて選択された回動位置の固定状態が、より安定的に維持され得ることとなり、以て、上述せる如き優れた使用状態が、更に一層有利に確保され得るのである。
【００１９】
また、本発明に従う屈曲状態可変の座席式担架の更に別の有利な態様の一つによれば、前記パイプ部材同士の予め設定された複数の回動位置の中に、前記一対の支持棒のそれぞれを一直線上に延びるように配置した形態を与える伸展状態を実現する回動位置が含まれる。
【００２０】
このような構成を有する屈曲状態可変の座席式担架にあっては、一対の支持棒のそれぞれを一直線上に延びるように配置した形態を与える伸展状態を実現する回動位置で、各パイプ部材の回動を阻止するように為すことによって、傷病者等が、脚を伸ばした状態で、載置部に寝かされるようにした従来通りの使用状態が得られることとなり、以て、より多目的な使用が可能となるのである。
【００２１】
さらに、本発明に従う屈曲状態可変の座席式担架の好ましい他の態様の一つによれば、前記パイプ部材同士の予め設定された複数の回動位置の中に、前記一対の支持棒のそれぞれを少なくとも二つに折り畳むように配置した形態を与える折畳み状態を実現する回動位置が含まれることとなる。
【００２２】
このような構成を有する屈曲状態可変の座席式担架にあっては、一対の支持棒のそれぞれを少なくとも二つに折り畳むように配置した形態を与える折畳み状態を実現する回動位置で、各パイプ部材の回動を阻止するように為すことによって、可及的に小さなスペース内に、コンパクトに収納することが可能となり、以て、取扱性が、より効果的に高められ得るのである。
【００２３】
【発明の実施の形態】
以下、本発明を更に具体的に明らかにするために、本発明に係る屈曲状態可変の座席式担架の構成について、図面を参照しつつ、詳細に説明することとする。
【００２４】
先ず、図１乃至図３には、本発明に従う構造を有する屈曲状態可変の座席式担架の一実施形態が、座席形態を与える屈曲状態での正面形態と側面形態と平面形態とにおいて、それぞれ概略的に示されている。そこにおいて、一対の支持棒１０，１０が、互いに平行に所定距離を隔てて、担架の前後方向（図１及び図２中、上下方向）に延びるように位置せしめられている一方、それら支持棒１０，１０間には、シート１２が架設乃至は張架せしめられていると共に、それら一対の支持棒１０，１０を接続する接続棒１４ａ〜１４ｂが４本が設けられており、それら４本の接続棒１４ａ〜１４ｂにて支持棒１０，１０の間隔が維持されて、シート１２上に傷病者等を乗せ得る程度の幅の載置部１６が形成されるようになっている。なお、支持棒１０，１０の両端には、担架を持ち運びするための把持部１８，１８が、一体的に設けられている。
【００２５】
より具体的には、このような構成の担架において、前記一対の支持棒１０，１０は、それぞれ、炭素繊維強化樹脂製で、所定長さを有する直管からなる第一、第二、及び第三の３本のパイプ２０，２２，２４を相互に連結せしめることにより、構成されているのである。
【００２６】
すなわち、この支持棒１０を構成する３本のパイプ２０，２２，２４を与える炭素繊維強化樹脂製の直管は、よく知られているように、炭素繊維を織成してなるカーボンクロスを円筒状に巻いた状態において、それに含浸せしめたエポキシ樹脂等の熱硬化型の樹脂を加熱、硬化せしめることによって得られる複合パイプ部材であって、ここでは、カーボンクロスと共に、更に、ガラス繊維を織成してなるガラスクロスが積層されて、円筒状とされ、所定の樹脂にて硬化、一体化せしめられてなる構造とされている。また、そのような３本のパイプ２０，２２，２４のうち、第一のパイプ２０は、一般的な成人の上半身の長さよりも若干長い長さとされている一方、第二のパイプ２２は、該成人の腰から膝までの長さに略相当する長さか、若しくはそれよりも所定寸法短い長さとされ、更に、第三のパイプ２４は、該成人の膝から踵までの長さよりも若干長い長さとされている。
【００２７】
さらに、そのような３本のパイプ２０，２２，２４のうち、第一のパイプ２０と第三のパイプ２４にあっては、長さ方向の一端部に、前記把持部１８が、それぞれ取り付けられている一方、その他端部には、全体として、略円板形態を呈する雄型連結金具２５が、その外周部に一体形成された固定部２６において、各々挿入され、固定されている。また、第二のパイプ２２の両端部には、第一及び第三のパイプ２０，２４の各他端部に固定された雄型連結金具２５と略同一の略円板状の金具の２枚を、それらの間に所定の空隙が形成されるように、互いに所定間隔を隔てて一体化せしめてなる雌型連結金具２７が、その外周部に一体形成された固定部２８において、各端部内に挿入されて、それぞれ一つずつ固定されている。
【００２８】
そして、それら第一、第二、及び第三のパイプ２０，２２，２４が、その順番で、前記支持棒１０の長さ方向に沿って直列に配置されており、またそのような配置状態下で、第一のパイプ２０と第三のパイプ２４のそれぞれの端部に設けられた雄型連結金具２５が、第二のパイプ２２の両端部に設けられた雌型連結金具２７に対して、その前記空隙に挿入された状態で、前記一対の支持棒１０，１０間に架設乃至は張架せしめられるシート１２の幅方向に延びる回動軸２９回りに回動可能に連結されている。これによって、第一、第二、及び第三のパイプ２０，２２，２４が、支持棒１０の長さ方向に隣り合うもの同士において、該回動軸２９回りに回動可能に連結されているのである。
【００２９】
そして、ここでは、各回動軸２９回りの回動により、第一のパイプ２０が、担架の前部（図１及び図２における上部）において、その長さ方向に延びるように位置せしめられている一方、第二のパイプ２２が、該第一のパイプ２０における担架の後部側端部から、担架の上方（図２における左方向）に向かって、直角に延びるように位置せしめられており、また、第三のパイプ２４が、第二のパイプ２２における第一のパイプ２０側の端部とは反対側の端部から、担架の後部（図１及び図２における下部）に向かって直角に且つ第一のパイプ２０と平行に延びるように、位置せしめられている。そして、そのような各パイプ２０，２２，２４の回動位置が、後に詳述する回動位置選択手段としての回動固定機構３０によって、解除可能に固定されている。
【００３０】
これによって、一対の支持棒１０，１０が、それぞれ、長さ方向の互いに対応する二箇所において直角に屈曲せしめられて、全体として、直角に段付けされた階段状の屈曲状態とされ、また、かかる屈曲状態が維持されるようになっているのである。そして、このような屈曲状態の各支持棒１０を与える第一、第二、及び第三のパイプ２０，２２，２４の合計長さが、各支持棒が一直線上に真っ直ぐ延びるように構成された、従来の担架における支持棒の長さと略同一の寸法とされているものの、支持棒１０の両端部間の距離、即ち、それら両端部間の直線的な長さは、階段状に屈曲せしめられている分だけ、従来の担架の支持棒よりも十分に短い長さとされている。
【００３１】
一方、一対の支持棒１０，１０の間を接続する４本の接続棒１４ａ〜１４ｂも、それら一対の支持棒１０，１０と同様な構造を有する炭素繊維強化樹脂からなる直管にて構成されている。また、そのような４本の接続棒１４ａ〜１４ｂにあっては、それらのうち、２本の接続棒１４ａ，１４ａが、一対の支持棒１０，１０の互いに対応する両端部間に位置せしめられている一方、残りの２本の接続棒１４ｂ，１４ｂが、一対の支持棒１０，１０の互いに対応する二つの連結部位間に位置せしめられている。そして、支持棒１０，１０の対応する端部間に位置する２本の接続棒１４ａ，１４ａが、それぞれのものの両端部に固設されたアルミ製等の剛性のある取付スリーブ３２を各支持棒１０に外挿、固定せしめることにより、該支持棒１０，１０の対応する各端部に取り付けられており、また、支持棒１０，１０の対応する二つの連結部位間に位置する２本の接続棒１４ｂ，１４ｂは、それぞれの両端部を、各支持棒１０の二つの連結部位にそれぞれ配設された前記雌型連結金具２７，２７の各支持棒１０間に延びるジョイント部に外挿、固定せしめることにより、それら支持棒１０，１０の対応する各連結部位に取り付けられているのである。
【００３２】
かくして、上述の如き配置形態とされた一対の支持棒１０，１０間の間隔が一定に維持されるようになっており、また、それら一対の支持棒１０，１０と４本の接続棒１４ａ〜１４ｂとによって形成された、担架の骨組みを構成するフレームが、堅固なものとなって、担架に捩じり方向の力が作用しても、そのフレームが歪んだり、撓んだりしないようになっている。そして、それによって、前記シート１２の載置部１６上に乗せられる傷病者等の支持が困難となることもなく、その取扱・搬送作業を有利に行い得るように構成されているのである。
【００３３】
また、それら一対の支持棒１０，１０と４本の接続棒１４ａ〜１４ｂとにて形成されたフレームには、載置部１６上に乗せられる傷病者等を固定する固定ベルト３４が設けられている。そして、この固定ベルト３４は、自動車の座席等に据え付けられる公知の４点式シートベルトと同様な形態を有して構成されている。これによって、搬送時における傷病者等の載置部１６上からの転落が、より確実に防止され得るようになっているのである。なお、ここでは、前述せる如く、屈曲状態とされた各支持棒１０の両端部間の距離が、前記従来の担架における支持棒よりも十分に短くされているため、フレーム全体、ひいては担架全体の長さも、従来の担架の全長よりも短くされているのである。
【００３４】
一方、上述の如く、４本の接続棒１４ａ〜１４ｂにて接続された一対の支持棒１０，１０の間に架設乃至は張架せしめられたシート１２は、軽量なポリビニルアルコール繊維（商品名：ビニロン）製の３枚の布地にて構成されている。そして、かかる合成繊維製の３枚のシート１２ａ，１２ｂ，１２ｃが、一対の支持棒１０，１０の間において、各支持棒１０の第一のパイプ２０同士と、第二のパイプ２２同士と、第三のパイプ２４同士とを、それぞれくるみつつ、その端部同士を面ファスナやファスナ等にて容易に取り外し可能に架設されることにより、前記傷病者等を乗せ得る載置部１６が形成されるようになっている。そして、ここでは、一対の支持棒１０，１０が前記屈曲状態とされていることによって、一対の支持棒１０，１０のそれぞれのものにおける第一のパイプ２０，２０間に架設されたシート１２ａと、第三のパイプ２４，２４間に架設されたシート１２ｃとの間で、第二のパイプ２２，２２の間に架設されたシート１２ｂにて段付けされた段差が形成されているのである。
【００３５】
なお、ここでは、前述の如く、第一のパイプ２０が、一般的な成人の上半身の長さよりも若干長くされている一方、第二のパイプ２２が、該成人の腰から膝までの長さと略同じか、それよりも所定寸法短い長さとされ、更に、第三のパイプ２４が、該成人の膝から踵までの長さよりも若干長くされていることによって、第一のパイプ２０，２０間と、第二のパイプ２２，２２間と、第三のパイプ２４，２４間のシート１２ａ，１２ｂ，１２ｃが、それぞれ、載置部１６に乗せられる傷病者等の上半身と、腰から膝までの部位と、膝から踵までの部位を載置可能な大きさとされている。
【００３６】
かくして、本実施形態では、前述の如くして、一対の支持棒１０，１０を、階段状の屈曲状態と為すことにより、該一対の支持棒１０，１０の長さ方向における載置部１６の中間部に、第二のパイプ２２，２２間に架設されたシート１２ｂからなる、一般的な成人が腰掛け可能な大きさの座席部３６が設けられるようになっているのである。即ち、換言すれば、ここでは、各支持棒１０を構成する第一、第二、及び第三のパイプ２０，２２，２４を、それらの連結部位における回動軸２９回りに回動せしめて、階段形状と為すことにより、座席形態を与える屈曲状態が実現され得るようになっているのであり、これによって、担架の長さ方向における載置部１６の中間部に設けられた座席部３６に、膝を曲げて腰掛けさせるようにした状態で、傷病者等を載置部１６上に寝かせて、搬送することが出来、以て、狭い場所や傾斜場所等でも、載置部１６に寝かされる傷病者等の負担を可及的に抑制しつつ、容易に使用が可能となっているのである。
【００３７】
また、支持棒１０の両端部に設けられた、担架を持ち運びするための把持部１８は、支持棒１０と同様な炭素繊維強化樹脂製の中空のパイプ部材が円形に成形されてなる、全体として、略リング形状をもって、構成されている。更に、このリング状の把持部１８は、手指が挿入可能な内孔を有しており、その全周にわたって、該内孔内に手指を挿入した状態で把持され得る大きさとされている。
【００３８】
そして、このようなリング状の把持部１８にあっては、内孔内に挿入された指の腹部が接触せしめられ得る大きさの谷部と、該指の腹部の横側部分が引っ掛かり得る大きさの山部が、内周部に対して、その内周方向の全周にわたって交互に且つ連続的に形成されて、かかる内周部が波型形状とされている。これによって、把持部１８の内孔内に挿入された指の腹部の横側部分を、該把持部１８内側の山部にそれぞれに引っ掛けつつ、把持部１８が把持され得るようになっており、以て、把持部１８を把持した際の指の滑りが、効果的に防止され得るようになっているのである。
【００３９】
そして、図１及び図２に示されるように、このリング状の把持部１８が、支持棒１０の延長線を含む垂直面内に位置し、且つ各支持棒１０，１０の互いに対応する端部において、中心軸が同一線上に位置する状態で、外周面に一体形成された取付突部３８において支持棒１０の両端部内にそれぞれ挿通せしめられて、固定されているのである。
【００４０】
ところで、前述せる如く、本実施形態の座席式担架では、各支持棒１０を構成する第一、第二、及び第三のパイプ２０，２２，２４を、それらの連結部位における回動軸２９回りに回動せしめて、階段形状と為すことにより、座席形態を与える屈曲状態が実現され、また、それら各パイプ２０，２２，２４の回動位置が回動固定機構３０にて固定されることによって、かかる屈曲状態が維持されるようになっているのであるが、そのような各パイプ２０，２２，２４の回動位置を固定する回動固定機構３０は、図２に示されるように、支持棒１０の長さ方向に隣り合うパイプ２０，２２，２４同士の連結部位に一つずつ設けられた雄型及び雌型連結金具２５，２７とストッパ装置４０とにて、それぞれ構成されて、それら各連結部位に対して、一つずつ配設されている。
【００４１】
より詳細には、第一のパイプ２０と第二のパイプ２２の連結部位の側面形態の一部を拡大して示す図４からも明らかなように、ここでは、雌型連結金具２７の外周部に、該外周部を径方向に切り込んだ矩形の切込みからなる位置決め凹部４２が、第二のパイプ２２における、載置部１６の傷病者等が寝かされる側とは反対の裏側部位に対応して位置するように、一つだけ設けられており、また、雄型連結金具２５の外周部には、該外周部を径方向に切り込んだ、該位置決め凹部４２に対応した矩形の切込みからなる係合凹部４４が、周方向に複数設けられている。
【００４２】
なお、第一のパイプ２０の端部に固定された雄型連結金具２５にあっては、図４乃至図６に実線や二点鎖線で示される如く、外周部に設けられた複数の係合凹部４４が、第二のパイプ２２との連結部位において、前記回動軸２９回りの回動により、該第二のパイプ２２との間で、なす角の大きさが、９０°（図４に実線で示される状態）、１２０°（図４に二点鎖線：アで示される状態）、１５０°（図４に二点鎖線：イで示される状態）、１８０°（図４に二点鎖線：ウで示される状態や、図５に示される状態）、及び３４５°（図２に二点鎖線：エで示される状態や、図６に示される状態）となった際に、第二のパイプ２２に固定された雌型連結金具２７の位置決め凹部４２に対して、それぞれ対応位置せしめられるように、互いに周方向に間隔おいて、設けられている。また、第三のパイプ２４の端部に固定された雄型連結金具２５にあっても、第一のパイプ２０の端部に固定された雄型連結金具２５と同様に、外周部に設けられた複数の係合凹部４４が、第二のパイプ２２との連結部位において、前記回動軸２９回りの回動により、該第二のパイプ２２との間で、なす角の大きさが、９０°、１２０°、１５０°、及び１８０°（図５や図６に示される状態）となった際に、第二のパイプ２２に固定された雌型連結金具２７の位置決め凹部４２に対して、それぞれ、対応位置せしめられるように、互いに周方向に間隔をおいて、設けられている。
【００４３】
一方、ストッパ装置４０は、全体として、両端に底部を有する円筒状のハウジング４６を有している。また、このハウジング４６は、第二のパイプ２２における、載置部１６の傷病者等が寝かされる側とは反対の裏側部位において、一端側の底部を、雌型連結金具２８の前記位置決め凹部４４に対応せしめた状態で、雌型連結金具２７の固定部２８にボルト固定されている。
【００４４】
そして、かかるハウジング４６内には、棒状のストッパ金具４８が、軸方向に真っ直ぐに延びるように挿通され、且つ両端部をハウジング４６の両側底部から外方に突出せしめた状態で、該軸方向に移動可能に配されている。また、このストッパ金具４８にあっては、ハウジング４６内の挿通部位における該ハウジング４６の一端側の底部側に、該一端側の底部のストッパ金具４８が挿通される孔よりも一周り大きなフランジ部５０が設けられている一方、該ハウジング４６の一端側の底部から外方に突出せしめられた部位が、雌型及び雄型連結金具２５，２５の位置決め凹部４２及び係合凹部４４のそれぞれの形状に対応した矩形形状を呈し、且つ該ストッパ金具４８の軸方向における雌型連結金具２５側への移動に伴って、雌型連結金具２５の位置決め凹部４４内に突入せしめられる突入部５２とされており、更に、該ハウジング４６の他端側の底部から外方に突出せしめられた部位には、支持部１０間に延びる側方延出部５４が一体的に設けられている（図８参照）。そしてまた、このようなストッパ金具４８が挿通されるハウジング４６の内部には、圧縮コイルばね５６が、その両端部を、該ハウジング４６の前記他端部側の底部と、該ハウジング４６内に位置するストッパ金具４８の外フランジ部５０とに係合せしめつつ、予備圧縮せしめられた状態下で、配置されている。
【００４５】
かくして、ここでは、前述せる如く、第一、第二、及び第三のパイプ２０，２２，２４の回動軸２９回りの回動によって、雄型連結金具２５の係合凹部４４の何れかを、雌型連結金具２７の位置決め凹部４２に対応位置させた、各パイプ２０，２２，２４の回動位置において、ストッパ金具４８を、圧縮コイルばね５６の付勢力に基づいて、雌型連結金具２７の位置決め凹部４２内への突入方向に移動せしめて、かかるストッパ金具４８の突入部５２を、互いに対応せしめられた雌型連結金具２７の位置決め凹部４２内と雄型連結金具２５の係合凹部４４内に突入位置せしめることにより、該突入部５２が、それらの凹部４２，４４に係合せしめられて、各パイプ２０，２２，２４の自由な回動が阻止され得るようになっている一方、ストッパ金具４８を、付勢手段たる圧縮コイルばね５６の付勢力に抗して、雌型連結金具２７の位置決め凹部４２からの離脱方向に移動させることにより、各パイプ２０，２２，２４の前記回動軸２９回りの自由な回動が許容せしめられるようになっているのである。このことから明らかなように、本実施形態では、回動体とその外周部に設けられる凹陥部とが、雄型連結金具２５と係合凹部４４とにて構成されていると共に、凹陥部に突入して係合するストッパ部材が、ストッパ金具４８にて構成され、そして、それら位置決め凹部４２と係合凹部４４とストッパ金具４８とにより、回動位置選択手段が構成されているのである。
【００４６】
また、かかる本実施形態の座席式担架においては、図１及び図２に示されるように、第二のパイプ２２と第三のパイプ２４との連結部位同士を接続する接続棒１４ｂと、第三のパイプ２４の端部同士を接続する接続棒１４ａとの間に、それら２本の接続棒１４ｂ，１４ａを連結する連結棒５８が、支持棒１０の長さ方向に沿って延びるように架設されていると共に、この連結棒の５８における、載置部１６の傷病者等が寝かされる側とは反対の裏側部位に、操作部材としてのハンドル６０が設けられている。そして、かかるハンドル６０の回動操作によって、上述せる如き位置決め凹部４２とそれに対応位置せしめられた係合凹部４４に対するストッパ金具４８の突入／離脱が、容易に行なわれ得るようになっているのである。
【００４７】
すなわち、ここでは、本実施形態の座席式担架の背面側の一部を拡大して示す図７に示される如く、前記連結棒５８の裏側部位（載置部１６の傷病者等が寝かされる側とは反対側部位）に、筐体形状を呈する取付ボックス６２が、位置固定に設けられており、また、この取付ボックス６２の外側における、前記第三のパイプ２４，２４の端部同士を接続する接続棒１４ａ側、つまり、第三のパイプ２４，２４の把持部１８が設けられる端部側に、前記ハンドル６０が回動可能に取り付けられている。更に、かかる取付ボックス６２の内部には、丸棒状の作動軸６４が、その一端部を、前記接続棒１４ａ側に向かって外部に突出せしめた状態で、連結棒５８の長さ方向、換言すれば、支持棒１０の長さ方向に沿って延び、且つかかる方向に移動可能に配設されている。
【００４８】
そして、この作動軸６４にあっては、接続棒１４ａ側に向かって外部に突出せしめられた部位の端部において、ハンドル６０に対して、公知のクランク機構を介して接続されている一方、該ハンドル６０との接続側とは反対側の端部に、ワイヤ取付金具６６が設けられ、更に、このワイヤ取付金具６６に、長手の２本のワイヤロープ６８，６８が、取り付けられている。これにより、ハンドル６０の回動に応じて、作動軸６４と２本のワイヤロープ６８，６８が、支持棒１０の長さ方向に往復動せしめられるようになっているのである。
【００４９】
また、図７と、座席部３６の背面側部分を拡大して示す図８とから明らかなように、作動軸６４と共に、支持棒１０の長さ方向に往復動せしめられる長手の２本のワイヤロープ６８，６８は、前記取付ボックス６２のハンドル取付側とは反対の側から外方に突出し、且つ連結棒５８と、前記接続棒１４ｂと、一対の支持棒１０の長さ方向の中間部をそれぞれ構成する２本の第二のパイプ２２，２２に沿って、各第二のパイプ２２，２２にそれぞれ二つずつ設けられた前記ストッパ装置４０に向かって延出し、且つ各パイプ５８，１４ｂ，２２，２２に取付けられた複数の取付ガイド５９によって、延出方向に移動可能に配置されている。
【００５０】
そして、それら各ワイヤロープ６８が、各第二のパイプ２２にそれぞれ設けられた二つのストッパ装置４０ａ，４０ｂのうち、第三のパイプ２４側に位置せしめられたストッパ装置４０ａにおけるストッパ金具４８ａの側方延出部５４ａの端部に形成される挿通孔６５ａに、移動可能に挿通せしめられ、更に、第一のパイプ２０側に位置するストッパ装置４０ｂにおけるストッパ金具４８ｂの側方延出部５４ｂの端部に形成される挿通孔６５ｂに挿通、固定されている。また、各ワイヤロープ６８は、取付ボックス６２から第三のパイプ２４側のストッパ装置４０ａにおけるストッパ金具４８ａの側方延出部５４ａの端部への挿通部位までの部分が、容易に屈曲乃至は湾曲せしめられるものの、殆ど伸縮しないカバー７０にて被覆されている。
【００５１】
これによって、ここでは、第三のパイプ２４，２４の把持部１８が設けられる端部側に取り付けられたハンドル６０を、図７において実線で示される位置から二点鎖線で示される位置にまで回動させることにより、ワイヤロープ６８を第一のパイプ２０側から第三のパイプ２４側に向かって、引っ張り移動させることが出来るようになっている。そして、その際に、第一のパイプ２０側のストッパ装置４０ｂのストッパ金具４８ｂが、側方延出部５４ｂにおいて、第三のパイプ２４側に引っ張られて、該ストッパ金具４８ｂの突入部５２ｂが、互いに対応位置する雌型連結金具２７の位置決め凹部４２と雄型連結金具２５の係合凹部４４とから離脱せしめられるようになっている。一方、ワイヤロープ６８のカバー７０は、該ワイヤロープ６８の引っ張り移動に応じて、取付ボックス６２側の端部が、該取付ボックス６２により押し出されるようにして、ワイヤロープ６８の移動方向とは反対の第一のパイプ２０側に向かって、ワイヤロープ６８に対して相対移動せしめられることとなり、それによって、該カバー７０の先端面に接触する、第三のパイプ２４側のストッパ装置４０ａにおけるストッパ金具４８ａの側方延出部５４ａが、第一のパイプ２０側に押圧されて、該ストッパ金具４８ａの突入部５２ａが、互いに対応位置する雌型連結金具２７の位置決め凹部４２と雄型連結金具２５の係合凹部４４とから離脱せしめられるようになっているのである。このことから明らかなように、ここでは、ワイヤロープ６８とカバー７０とにて、作用部材が構成されているのである。
【００５２】
このように、本実施形態の座席式担架においては、第三のパイプ２４，２４の把持部１８が設けられる端部側に取り付けられたハンドル６０を、単に、図７に実線で示される回動位置と二点鎖線で示される回動位置の間で回動させると共に、第一、第二、及び第三のパイプ２０，２２，２４を、互いの連結部位において回動軸２９回りに回動させるだけで、各支持棒１０を、全体として、直角に段付けされた階段状とした屈曲状態と、互いに隣り合うパイプ同士のなす角が、１２０°若しくは１５０°となるように段付した、他の２種類の屈曲状態と、一直線に真っ直ぐに延びるように伸展させた伸展状態と、二つに折り畳んだ折畳み状態とを選択し、それら選択された状態を維持させることが出来るようになっているのである。
【００５３】
それ故、かかる本実施形態の座席式担架にあっては、例えば、把持部１８を把持したままで、該把持部１８の手元でハンドル６０を回動操作することにより、各パイプ部材２０，２２，２４の回動位置を固定したり、或いはそれを解除したりして、使用状態を容易に変更することが出来、しかも、全体を座席形態を与える屈曲状態と為して使用する際に、載置部１６に寝かされる傷病者等の膝や腰の曲げ角度が互いに異なる屈曲状態を、３種類のバリエーションの中から、任意に選択することが出来るのである。
【００５４】
従って、このような本実施形態に係る座席式担架においては、座席形態を与える屈曲状態が、優れた操作性をもって、容易に変更され得るのであり、また、かかる屈曲状態を種々変更することによって、載置部１６に腰掛けるような状態で寝かされる傷病者等の負担が、より一層効果的に軽減され得、以て、従来の担架では得られない優れた使用性や取扱性が、極めて効果的に発揮され得ることとなるのである。
【００５５】
また、本実施形態の座席式担架にあっては、各支持棒１０，１０を伸展させた状態での使用が可能となっているため、載置部１６に、脚を伸ばした状態で傷病者等を寝かせることも出来、それによって、より幅広い使用形態を確保することが可能となっているのである。
【００５６】
さらに、本実施形態では、各支持棒１０，１０を二つに折り畳み得るようになっているところから、非使用下で、かかる折畳み状態と為すことによって、可及的に小さなスペース内に、コンパクトに収納することが可能となり、以て取扱性が、より一層効果的に高められ得るのである。
【００５７】
更にまた、本実施形態の座席式担架においては、各パイプ２０，２２，２４を互いに連結する雄型連結金具２５の外周部に複数設けられた係合凹部４４に対して、第二のパイプ２２に設けられたストッパ装置４０におけるストッパ金具４８の突入部５２が突入し、係合せしめられることにより、各パイプ２０，２２，２４の回動が阻止されて、前記屈曲状態や伸展状態、更には折畳み状態が、維持され得るようになっているところから、それら各種の使用状態が、確実に維持され得て、より安定的且つ安全に使用され得るのである。
【００５８】
また、本実施形態に係る座席式担架にあっては、ストッパ装置４０のストッパ金具４８とハンドル６０とがワイヤロープ６８にて接続されて、該ハンドル６０の回動操作によりワイヤロープ６８が、その長さ方向に移動せしめられることにより、ストッパ金具４８が、雄型連結金具２５の係合凹部４４に対して突入／離脱せしめられるようになっているところから、ハンドル６０の回動操作に伴って、各パイプ２０，２２，２４の回動が、より確実に阻止され得、以て、上述せる如き優れた使用状態が、より効果的に確保され得ることとなるのである。
【００５９】
さらに、かかる座席式担架においては、ストッパ金具４８が、ストッパ装置４０におけるハウジング４６内に配置された圧縮コイルばね５６により、雄型連結金具２５の係合凹部４４内への突入方向に向かって付勢せしめられて、配設されているため、ストッパ金具４８の係合凹部４４内への突入状態、換言すれば、各パイプ２０，２２，２４の回動位置の固定状態が、より安定的に維持され得、それによって、上述せる如き優れた使用状態が、更に一層有利に確保され得るのである。
【００６０】
更にまた、本実施形態の座席式担架にあっては、そのフレームを構成する支持棒１０や接続棒１４ａ〜１４ｂと、支持棒１０の両端に設けられた把持部１８が、全て、炭素繊維強化樹脂からなる中空のパイプ部材にて構成され、しかも、シート１２も、軽くて強いポリビニルアルコール繊維からなる布にて構成されているところから、フレームが鉄パイプからなるものや、把持部１８が木製のもの、或いはシート１２が綿布や帆布等の布はくからなる従来の担架に比して、強度を低下させることなく、その軽量化が、極めて有利に図られ得ているのである。また、そのように、フレームを与える支持棒１０や接続棒１４ａ〜１４ｂが炭素繊維強化樹脂からなる中空のパイプ部材にて構成されていることによって、傷病者等が載置部１６上に乗せられた際に、フレームにおいて、ある程度の撓りが生ぜしめられ得ることとなり、以て、剛直感等の傷病者等への負担が、効果的に和らげられ得るといった利点も発揮され得るのである。
【００６１】
さらに、本実施形態の座席式担架においては、支持棒１０の両端に設けられた把持部１８が、リング形状を呈し、その全周にわたって、内孔内に手指を挿入した状態で把持され得るようになっているところから、例えば、担架を傾ける場合や、搬送者の腰よりも高い位置に担架を持ち上げる際等において、搬送者が、把持部１８において、最も把持し易く且つ最も力の出し易い部分を把持しつつ、担架を支持することが出来、それによって、傷病者等を乗せて運ぶ際における使用性が効果的に高められ得ると共に、搬送者の負担が、有利に軽減され得ることとなるのである。
【００６２】
以上、本発明の具体的な構成について詳述してきたが、これはあくまでも例示に過ぎないのであって、本発明は、上記の記載によって、何等の制約をも受けるものではない。
【００６３】
例えば、前記実施形態では、担架のより一層の軽量化を図るために、シート１２が、ポリビニルアルコール繊維からなる布にて構成されていたが、勿論、従来の如く、綿布や帆布等の布はくを用いることも可能である。
【００６４】
また、支持棒１０，１０のそれぞれを構成する３本のパイプ２０，２２，２４を与える材料は、炭素繊維強化樹脂材料であれば、その種類が、前記実施形態に示されるものに、何等限定されるものではないのである。
【００６５】
さらに、それら３本のパイプ２０，２２，２４の連結構造も、例示の構造に止まることなく、各パイプ２０，２２，２４を、互いの連結部位において回動可能と為す連結構造が、当業者に知識に基づいて、適宜に採用され得るものであることは、勿論である。
【００６７】
また、回動位置選択手段を前記実施形態に示される如き雄型連結金具２５の係合凹部４４と雌型連結金具２７における位置決め凹部４２とストッパ金具４８にて構成する場合にあっても、かかる雄型連結金具２５の外周部に形成される係合凹部４４の形成位置は、例示されるものに何等止まることなく、各パイプ２０，２２，２４の回動により、更に多くの種類の屈曲状態が得られ、或いは例示される如き角度とは異なる角度の屈曲状態が得られ、またそれらが維持され得るように、雄型連結金具２５の外周部への係合凹部４４の形成位置を種々変更しても良いのである。
【００６８】
さらに、前記実施形態では、そのような回動位置選択手段による各パイプ２０，２２，２４の回動の固定及びその固定状態の解除を行なわしめる操作部材が、ハンドル６０にて構成されていたが、かかる操作部材の構造も、特にこれに限定されるものではない。
【００６９】
また、かかる操作部材と回動位置選択手段とを接続して、操作部材に対する操作に応じた回動位置選択手段の作動を可能ならしめる作用部材も、前記実施形態に示される如きカバー７０付ワイヤロープ６８等に止まることなく、例えば、公知のリンク機構を有し、ハンドル６０の操作に伴って、ストッパ金具４８を雄型連結金具２５の係合凹部４４に対して突入／離脱せしめられるように構成されたリンク部材や、モータ等の駆動手段を有し、ハンドル６０の操作により、ストッパ金具４８の係合凹部４４への突入／離脱を自動で行なわしめる駆動部材等にて構成することも、可能なのである。
【００７０】
また、前記実施形態では、把持部１８が、リング形状をもって構成されていたが、従来の如く、かかる把持部１８を、単なる棒形状において構成することも可能である。更に、把持部１８をリング形状と為す場合にあっても、その内周部が、例示される如き形状に何等限定されるものではないのである。
【００７１】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【発明の効果】
【００７２】
以上の説明からも明らかなように、本発明に従う屈曲状態可変の座席式担架にあっては、屈曲状態が変更可能とされていることによって、載置部に寝かされる傷病者の負担が有利に軽減され得ると共に、該屈曲状態の変更が、容易に且つ優れた操作性をもって実施され得るのであり、以てより優れた使用性と取扱性とが、何れも効果的に発揮され得ることとなるのである。
【図面の簡単な説明】
【図１】本発明に従う座席式担架の一例を、屈曲状態での使用形態において示す正面説明図である。
【図２】図１に示される担架の側面説明図である。
【図３】図１に示される担架の平面説明図である。
【図４】図２における一部切欠図を含む部分拡大説明図である。
【図５】図１に示される担架の伸展状態での使用形態を示す図２に対応する図である。
【図６】図１に示される担架の折畳み状態での使用形態を示す図２に対応する図である。
【図７】図２のVII−VII断面における一部切欠図を含む部分拡大説明図である。
【図８】図２のVIII−VIII断面における一部切欠図を含む部分拡大説明図である。
【符号の説明】
１０  支持棒                          １２  シート
１６  載置部                          １８  把持部
２０  第一のパイプ                    ２２  第二のパイプ
２４  第三のパイプ                    ２５  雄型連結金具
２７  雌型連結金具                    ３０  回動固定機構
３６  座席部                          ４０  ストッパ装置
４４  係合凹部                        ４８  ストッパ金具
５６  圧縮コイルばね                  ６０  ハンドル
６８  ワイヤロープ
【図１】
0004628607.tif 000002
【図２】
0004628607.tif 000003
【図３】
0004628607.tif 000004
【図４】
0004628607.tif 000005
【図５】
0004628607.tif 000006
【図６】
0004628607.tif 000007
【図７】
0004628607.tif 000008
【図８】
0004628607.tif 000009